(57)【要約】      （修正有）【課題】書物や照明器具などを自由に移動させる機能を備え、かつ、パーティションとしても利用できるヘッドボードを提供する。【解決手段】ベッド２の前端部側に設けられ、複数の縦棒１１で構成され、所定間隔を開けて垂直方向に立設された縦棒群１０と、複数の横材２１で構成され、前部が、一定高さ幅の空隙部Ｇを介して縦棒群１０の略上半部に左右方向に固定され、縦棒群１０よりも後方に突出する横材群２０とを備える。さらに、前端部が、横材群２０の前端よりも前方に位置する状態で空隙部Ｇに挿入される棚本体３１の下面に、前端面が横材２１の後端面に当接する状態で下ストッパー３２を固定し、前端部の上面に上ストッパーを固定し、左右方向にスライド自在としたスライド棚３０とで構成する。【選択図】図２
0003179411.tif 000002
【実用新案登録請求の範囲】
【請求項１】
ベッド（２）の前端部側に設けられるヘッドボードであって、複数の縦棒（１１）で構成され，所定間隔を開けて垂直方向に立設された縦棒群（１０）と、複数の横材（２１）で構成され，前部が，一定高さ幅の空隙部（Ｇ）を介して前記縦棒群の略上半部に左右方向に固定され，該縦棒群よりも後方に突出する横材群（２０）と、前端部（３１ａ）が，前記横材群の前端よりも前方に位置する状態で前記空隙部に挿入される棚本体（３１）の下面に，前端面（３２ａ）が前記横材の後端面（２１ｂ）に当接する状態で下ストッパー（３２）を固定すると共に、前記前端部の上面に上ストッパー（３３）を固定し，左右方向にスライド自在としたスライド棚（３０）と、を備えることを特徴とするヘッドボード。
【請求項２】
ベッド（２）の前端部側に設けられるヘッドボードであって、複数の縦棒（１１）で構成され，所定間隔を開けて垂直方向に立設された縦棒群（１０）と、複数の横材（２１）で構成され，前部が，一定高さ幅の空隙部（Ｇ）を介して前記縦棒群の略上半部に左右方向に固定され，該縦棒群よりも後方に突出する横材群（２０）と、前端部（３１ａ）が，前記横材群の前端よりも前方に位置する状態で前記空隙部に挿入される棚本体（３１）の下面に，前端面（３２ａ）が前記横材の後端面（２１ｂ）に当接する状態で下ストッパー（３２）を固定すると共に，前記前端部の上面に上ストッパー（３３）を固定し，左右方向にスライド自在としたスライド棚（３０）と、を備え、横幅を，前記ベッドの横幅よりも長く形成し，その長く形成した部分をパーティション部Ｐとしたことを特徴とするヘッドボード。
【考案の詳細な説明】
【技術分野】
【０００１】
本考案は、ベッドの前端部側（使用者の頭部側）に設けられるヘッドボードに関するものである。
【背景技術】
【０００２】
通常、ベッドの前端部側にはヘッドボードが設けられている。このヘッドボードは、寝具の移動を防止し、使用者の頭部を保護し、さらには使用者の背もたれとなるといった機能を持っている。
【０００３】
また、従来のヘッドボードの中には、こうした機能に加えて、収納部およびその収納部に光を供給する照明器具を備えたものが創案されている（例えば、特許文献１参照）。このヘッドボードは、収納部に納めた物を照明器具の光によって容易に視認することができるといった特長を有する。
【先行技術文献】
【特許文献】
【０００４】
【特許文献１】実用新案登録第３１４８５７５号
【考案の概要】
【考案が解決しようとする課題】
【０００５】
ベッドは睡眠を得る場所として使用するものであるが、それ以外に、例えば読書する場所としても使用される。その場合、ヘッドボードに書物と照明器具を載置する棚があれば便利である。また、ベッドの上で読書する場合は、ヘッドボードを背もたれとした姿勢やベッドに横たわった姿勢など、あらゆる姿勢をとることが多い。従って、照明器具をそれらの姿勢を合わせて自由に移動させることができれば便利である。また、書物を載置する棚も自由に移動させることができれば、ベッドの上から必要な書物を容易に手にすることができるので便利である。
【０００６】
また、ヘッドボードに自由に移動できるコンセントがあれば、そのコンセント利用してパソコンやテレビを利用できるので便利である。さらに、ヘッドボードにパーティションとしての機能を与えることができれば、室内を区切ることができるので便利である。
【０００７】
本考案はこうした問題に鑑み創案されたもので、書物や照明器具などを自由に移動させる機能を備え、かつ、パーティションとしても利用できるヘッドボードを提供することを課題とする。
【課題を解決するための手段】
【０００８】
図１乃至図８を参照して説明する。請求項１に記載のヘッドボード１は、ベッド２の前端部側に設けられるものであり、複数の縦棒１１で構成され、所定間隔を開けて垂直方向に立設された縦棒群１０と、複数の横材２１で構成され、前部が、一定高さ幅の空隙部Ｇを介して前記縦棒群１０の略上半部に左右方向に固定され、当該縦棒群１０よりも後方に突出する横材群２０と、前端部３１ａが、前記横材群２０の前端よりも前方に位置する状態で前記空隙部Ｇに挿入される棚本体３１の下面に、前端面３２ａが前記横材２１の後端面２１ｂに当接する状態で下ストッパー３２を固定すると共に、前記前端部３１ａの上面に上ストッパー３３を固定し、左右方向にスライド自在としたスライド棚３０とを備える。
【０００９】
請求項２に記載のヘッドボード１は、ベッド２の前端部側に設けられるものであって、複数の縦棒１１で構成され、所定間隔を開けて垂直方向に立設された縦棒群１０と、複数の横材２１で構成され、前部が、一定高さ幅の空隙部Ｇを介して前記縦棒群１０の上半部に左右方向に固定され、該縦棒群１０よりも後方に突出する横材群２０と、前端部３１ａが、前記横材群２０の前端よりも前方に位置する状態で前記空隙部Ｇに挿入される棚本体３１の下面に、前端面３２ａが前記横材２１の後端面２１ｂに当接する状態で下ストッパー３２を固定すると共に、前記前端部３１ａの上面に上ストッパー３３を固定し、左右方向にスライド自在としたスライド棚３０と、を備える。
【００１０】
また、スライド棚３０の横幅を、前記ベッド２の横幅よりも長く形成し、その長く形成した部分をパーティション部（隔壁部）Ｐとした。
【考案の効果】
【００１１】
請求項１に記載のヘッドボード１は、スライド棚３０を、左右方向にスライド自在としたので、例えば、そのスライド棚３０に固定した照明器具Ｌの光によって読書する場合には、ベッド２上の姿勢に対応してスライド棚３０を自在に移動させて照明器具Ｌの位置を調節することができる。
【００１２】
また、例えば、スライド棚３０に書物Ｂを置く場合には、ベッド２の上から当該スライド棚３０を移動して好みの書物Ｂを容易に手にすることができる。また、スライド棚３０にコンセントＲを設ける場合は、当該スライド棚３０を移動してそのコンセントＲを容易に利用することができる。
【００１３】
請求項２に記載のヘッドボード１は、請求項１に記載の考案と同様の効果を発揮する。また、ヘッドボード１の横幅を、ベッド２の横幅よりも長く形成し、その長く形成した部分をパーティション部Ｐとしたので、専用のパーティション（隔壁）を設けることなく室内を効果的に区切ることができる。
【図面の簡単な説明】
【００１４】
【図１】本考案に係るヘッドボードの実施形態を示す側面図である。
【図２】図１に示すヘッドボードの背面図である。
【図３】図２のＸ−Ｘ線要部拡大断面図である。
【図４】図１に示すヘッドボードにおいて、スライド棚を取付ける工程を示す要部拡大断面図である。
【図５】本考案の実施形態に係るヘッドボードのスライド棚の一態様を示すもので、（ａ）は平面図、（ｂ）は底面図、（ｃ）は側面図である。
【図６】本考案の実施形態に係るヘッドボードのスライド棚の他の態様を示すもので、（ａ）は平面図、（ｂ）は底面図、（ｃ）は側面図である。
【図７】本考案の実施形態に係るヘッドボードのスライド棚のさらに他の態様を示すもので、（ａ）は平面図、（ｂ）は底面図、（ｃ）は側面図である。
【図８】本考案の実施形態に係るヘッドボードの他の態様を示す背面図である。
【図９】本考案の実施形態に係るヘッドボードのさらに他の態様を示す背面図である。
【考案を実施するための形態】
【００１５】
本考案に係るヘッドボード１の実施形態を、図１乃至図３に示す。このヘッドボード１は、フレーム２ａとマットレス２ｂを備えるベッド２の前端部側（使用者の頭部側）に固定されるものであり、縦棒群１０と、横材群２０と、スライド棚３０とを備える。
【００１６】
縦棒群１０は、複数（５本）の平断面四角形状の縦棒１１で構成される。各縦棒１１は、左右方向に所定間隔（一定間隔）を開けて配置され、垂直方向に立設されている。各縦棒１１の略上半部の後部には、垂直方向に一定間隔をあけて複数の溝部１１ｃが形成されている。
【００１７】
横材群２０は、複数（８本）の縦断面矩形状の横材２１で構成される。各横材２１は、その前部が縦棒群１０の略上半部に形成された溝部１１ｃに嵌入することによって固定され、その後部が縦棒群１０よりも後方に突出している。上下に隣接する横棒２１の間には空隙部Ｇが形成される。
【００１８】
スライド棚３０は、棚本体３１と、下ストッパー３２と、上ストッパー３３とを備える。棚本体３１は平板状であり、その前端部３１ａが、横材２１の前端面２１ａよりも前方に位置する状態で空隙部Ｇに挿入される。この空隙部Ｇの高さ幅は、棚本体３１の肉厚よりも僅かに大きく設定されている。
【００１９】
下ストッパー３２は、横材２１とほぼ等しい高さ幅を備え、棚本体３１の下面に、その前端面３１ａが横材２１の後端面２１ｂに当接（または近接）する状態で固定される。
【００２０】
上ストッパー３３は、横材２１とほぼ等しい高さ幅を備え、棚本体３１の前端部３１ａの上面に固定される。従って、上ストッパー３３の後端面３３ｂは、対応する横材２１の前端面２１ａに当接または近接する。なお、上ストッパー３３の前端面３３ａは、縦棒群１０の前端面より突出しないように設定し、側面形状の意匠性を高めている。
【００２１】
こうした構成のスライド棚３０は、棚本体３１の前端部３１ａ側が横材群２０の空隙部Ｇに挿入され、上ストッパー３３と下ストッパー３２とによって前後方向に抜け出し不能な姿勢で、隣接する二つの縦棒１１の間を左右方向にスライド自在に取付けられる。
【００２２】
なお、本実施形態における縦棒群１０は５本の縦棒１１で構成しているが、この数は限定されない。従って、例えば、縦棒群１０を左端の縦棒１１と右端の縦棒１１の２本のみで構成することによって、スライド棚３０をより長い距離にわたってスライドさせることが可能である。また、横材２１の数も限定されない。
【００２３】
また、スライド棚３０を横材群２０に取付けるには、例えば、図４に示すように、まず、棚本体３１に下ストッパー３２を固定した状態で、棚本体３１の前端部３１ａ側を空隙部Ｇに挿通させ、その後、前端部３１ａの上面に上ストッパー３３を固定する。こうすることによって、スライド棚３０の取付けを容易に行うことができる。
【００２４】
また、このヘッドボード１は、その横幅を、ベッド２の横幅よりも長く形成し、その長く形成した部分をパーティション部（隔壁部）Ｐとしている。本実施形態では、ヘッドボード１の左右方向の中間部分にベッド２を配置しており、従って、ベッド２の左右両側にパーティション部Ｐを形成している（図２参照）。
【００２５】
また、本実施形態のヘッドボード１は、縦棒群１０の上端に左右方向の全長にわたって、複数の縦棒１１の上端を連結する連結材２５を備える。この連結材２５は横材群２０と同じ長さに設定され、横材群２０よりも大きな断面形状を有する。
【００２６】
さらに、縦棒群１０の略下半部の後端面には、その左右方向の全長にわたって取付板４０を取付けている。この取付板４０の後端面４０ｂは、横材２１（横材群２０）の後端面２１ｂとほぼ面一となるように設定している。なお、この取付板４０には、多数の取付穴４０ｃを形成し、この取付穴４０ｃに挿通する取付部材（ボルト等）によってヘッドボード１をフレーム２ａに固定している。
【００２７】
また、本考案におけるスライド棚３０は、その上に書物Ｂや置物などを載置する構成とすることができる（図５参照）。また、このスライド棚３０には照明器具Ｌを取付けることができ、そのために、棚本体３１の下面に電気コードを通す通し溝３１ｂを形成すると良い（図６）。さらに、このスライド棚３０には電気コンセントＲを設けることもでき、そのための構成として、同様に、棚本体３１の下面に電気コードを配置する通し溝３１ｂを設けることができる（図７）。
【００２８】
なお、本実施形態におけるヘッドボード１は、その左右方向の中心部にベッド２を配置しているが、本考案はこれに限定されるものではない。従って、ヘッドボード１の左側にベッド２を配置して右側部分にパーティション部Ｐを形成することができるし（図８）、その逆に、ヘッドボード１の右側にベッド２を配置して左側部分にパーティション部Ｐを形成することができる（図９）。なお、これらの場合には、パーティション部に本棚のような収納棚Ｓを載置することができる。
【００２９】
本実施形態に係るヘッドボード１は、上記構成としたので、スライド棚３０を、左右方向に自在にスライドさせることができる。従って、スライド棚３０に書物Ｂを置いた場合には、ベッド２の上から当該スライド棚３０を移動させて好みの書物Ｂを容易に手にすることができる。
【００３０】
また、照明器具Ｌを取付けた場合には、スライド棚３０を移動させることによって光の方向を自在に調節することができる。さらに、コンセントＲを設けた場合には、そのコンセントＲの位置を、スライド棚３０をスライドさせることによって自在に近づけたり遠ざけたりすることができる。
【００３１】
また、ヘッドボード１の横幅を、ベッド２の横幅よりも長く形成し、その長く形成した部分をパーティション部Ｐとしたので、専用のパーティション（隔壁）Ｐを設けることなく室内を好みの広さに区切ることができる。
【００３２】
なお、本考案に係るヘッドボード１の横幅は限定されるものではないが、例えば、ダブルサイズ（１４１４ｍｍ）とクイーンサイズ（１６１４ｍｍ）の二つを製造し、それらと同じサイズのベッドや、シングルサイズなどのそれらより小さいサイズのベッドに使用することができる。なお、同じサイズのベッドに使用した場合には、パーティション部Ｐは形成されないが、こうした構成も本考案に含まれる。
【符号の説明】
【００３３】
１        ヘッドボード
２        ベッド
２ａ      フレーム
２ｂ      マットレス
１０      縦棒群
１１      縦棒
１１ｃ    溝部
２０      横材群
２１      横材
２１ａ    前端面
２１ｂ    後端面
２５      連結材
３０      スライド棚
３１      棚本体
３１ａ    前端部
３１ｂ    通し溝
３２      下ストッパー
３２ａ    前端面
３３      上ストッパー
３３ａ    前端面
３３ｂ    後端面
４０      取付板
４０ａ    前端面
４０ｂ    後端面
４０ｃ    取付穴
Ｂ        書物
Ｇ        空隙部
Ｌ        照明器具
Ｐ        パーティション部
Ｒ        コンセント
Ｓ        収納棚
【図１】
0003179411.tif 000003
【図２】
0003179411.tif 000004
【図３】
0003179411.tif 000005
【図４】
0003179411.tif 000006
【図５】
0003179411.tif 000007
【図６】
0003179411.tif 000008
【図７】
0003179411.tif 000009
【図８】
0003179411.tif 000010
【図９】
0003179411.tif 000011